(57)【特許請求の範囲】
【請求項１】
固有の識別信号を送信する電子キー、及び車両の動力装置の駆動禁止要求、駆動許可要求を示す駆動要求信号を送信する遠隔地にある通信装置と通信可能な車両用セキュリティー装置であって、
音声及び／又は画像を出力する出力手段と、
前記電子キーとの通信を行うキー通信手段と、
遠隔地にある前記通信装置との通信を行う遠隔通信手段と、
前記キー通信手段に送信される前記識別信号及び／又は前記遠隔通信手段に送信される前記駆動要求信号に基づいて、前記動力装置の駆動禁止、駆動許可を制御すると共に、当該動力装置を駆動許可している場合、前記遠隔通信手段にて前記駆動禁止要求を示す駆動要求信号を受信しても、当該駆動禁止要求を示す駆動要求信号に基づく前記動力装置の駆動禁止に関連する情報を前記出力手段にて出力することを禁止する制御手段と、
を備えることを特徴とする車両用セキュリティー装置。
【請求項２】
前記制御手段は、前記遠隔通信手段に前記駆動禁止要求を示す前記駆動要求信号が送信され、前記動力装置を駆動禁止している場合、前記出力手段にて駆動禁止要求を示す駆動要求信号に基づく前記動力装置の駆動禁止に関連する情報を出力することを特徴とする請求項１に記載の車両用セキュリティー装置。
【請求項３】
前記制御手段は、前記遠隔通信手段に前記駆動禁止要求を示す前記駆動要求信号が送信され、前記動力装置を駆動禁止している場合に、前記キー通信手段に前記識別信号が送信されると、前記動力装置の駆動禁止を維持すると共に、前記出力手段にて駆動禁止要求を示す駆動要求信号に基づく前記動力装置の駆動禁止に関連する情報を出力することを特徴とする請求項１に記載の車両用セキュリティー装置。
【請求項４】
駆動禁止要求を示す駆動要求信号に基づく前記動力装置の駆動禁止に関連する情報は、前記遠隔地から当該動力装置を駆動禁止することを示す情報を含むことを特徴とする請求項１乃至請求項３のいずれかに記載の車両用セキュリティー装置。
【請求項５】
前記駆動禁止要求を示す駆動要求信号に基づく前記動力装置の駆動禁止に関連する情報は、前記遠隔地からの当該動力装置の駆動禁止の解除に関連する情報を含むことを特徴とする請求項１乃至請求項４のいずれかに記載に車両用セキュリティー装置。
【請求項６】
固有の識別信号を送信する電子キー、及び車両の動力装置の駆動禁止要求、駆動許可要求を示す駆動要求信号を送信する遠隔地にある通信装置と通信可能な車両用セキュリティー装置であって、
搭乗者によって操作される操作手段と、
前記電子キーとの通信を行うキー通信手段と、
遠隔地にある前記通信装置との通信を行う遠隔通信手段と、
前記キー通信手段に送信される前記識別信号及び／又は前記遠隔通信手段に送信される前記駆動要求信号に基づいて、前記動力装置の駆動禁止、駆動許可を制御すると共に、当該動力装置を駆動許可している場合、前記遠隔通信手段にて前記駆動禁止要求を示す駆動要求信号を受信しても、当該駆動禁止要求を示す駆動要求信号に基づく前記動力装置の駆動禁止に関連する前記操作手段による操作を禁止する制御手段と、
を備えることを特徴とする車両用セキュリティー装置。
【請求項７】
前記制御手段は、前記遠隔通信手段に前記駆動禁止要求を示す前記駆動要求信号が送信され、前記動力装置を駆動禁止している場合、前記操作手段にて前記動力装置の駆動禁止に関連する操作を許可することを特徴とする請求項６に記載の車両用セキュリティー装置。
【請求項８】
前記制御手段は、前記遠隔通信手段に前記駆動禁止要求を示す前記駆動要求信号が送信され、前記動力装置を駆動禁止している場合に、前記キー通信手段に前記識別信号が送信されると、前記動力装置の駆動禁止を維持すると共に、前記操作手段にて前記動力装置の駆動禁止に関連する操作を許可することを特徴とする請求項６に記載の車両用セキュリティー装置。
【請求項９】
前記制御手段は、前記遠隔通信手段に前記駆動禁止要求を示す前記駆動要求信号が送信され、前記動力装置を駆動禁止している場合に、前記操作手段にて所定の操作がなされると、前記動力装置の駆動禁止を維持すると共に、前記操作手段にて前記動力装置の駆動禁止に関連する操作を許可することを特徴とする請求項６に記載の車両用セキュリティー装置。
【請求項１０】
少なくとも画像を出力する出力手段を備え、前記操作手段は、当該出力手段が出力する画像に基づいて操作されるものであり、前記制御手段は、当該駆動禁止要求を示す駆動要求信号に基づく前記動力装置の駆動禁止に関連する画像を前記出力手段に出力することを禁止することによって前記操作を禁止することを特徴とする請求項６乃至請求項９のいずれかに記載の車両用セキュリティー装置。
【請求項１１】
前記駆動禁止要求を示す駆動要求信号に基づく前記動力装置の駆動禁止に関連する画像は、前記遠隔地からの当該動力装置の駆動禁止の解除に関連する画像を含むことを特徴とする請求項６乃至請求項１０のいずれかに記載に車両用セキュリティー装置。
【請求項１２】
携帯性を有し、固有の識別信号を送信する電子キーと、
車両の動力装置の駆動禁止要求と駆動許可要求を示す駆動要求信号を送信することによって当該動力装置を遠隔操作する通信装置と、
請求項１乃至請求項１１のいずれかに記載の車両用セキュリティー装置と、
を備えることを特徴とする車両用セキュリティーシステム。
【発明の詳細な説明】
【技術分野】
【０００１】
本発明は、車両用セキュリティー装置及び車両用セキュリティーシステムに関するものである。
【背景技術】
【０００２】
従来、車両の盗難を防止する車両用セキュリティーシステムとして特許文献１に示すものがある。
【０００３】
特許文献１に示す車両用セキュリティーシステムは、車両が盗難されると、基地局から盗難された車両に対して盗難信号を送信する。そして、車両が走行中である場合、基地局から盗難信号が送信されると、車両の運転者に対して音声及び画像によるコーションを実行するものである。
【特許文献１】特開２００２−５９８１２号公報
【発明の開示】
【発明が解決しようとする課題】
【０００４】
しかしながら、特許文献１に示す車両用セキュリティーシステムにおいては、車両走行中に音声及び画像によるコーションを実行するため、車両の運転に悪影響を与える可能性があった。
【０００５】
本発明は、上記問題点に鑑みなされたものであり、車両の運転に悪影響を与えることを防止することができる車両用セキュリティー装置及び車両用セキュリティーシステムを提供することを目的とする。
【課題を解決するための手段】
【０００６】
上記目的を達成するために請求項１に記載の車両用セキュリティー装置は、固有の識別信号を送信する電子キー、及び車両の動力装置の駆動禁止要求、駆動許可要求を示す駆動要求信号を送信する遠隔地にある通信装置と通信可能な車両用セキュリティー装置であって、音声及び／又は画像を出力する出力手段と、電子キーとの通信を行うキー通信手段と、遠隔地にある通信装置との通信を行う遠隔通信手段と、キー通信手段に送信される識別信号及び／又は遠隔通信手段に送信される駆動要求信号に基づいて、動力装置の駆動禁止、駆動許可を制御すると共に、動力装置を駆動許可している場合、遠隔通信手段にて駆動禁止要求を示す駆動要求信号を受信しても、駆動禁止要求を示す駆動要求信号に基づく動力装置の駆動禁止に関連する情報を出力手段にて出力することを禁止する制御手段とを備えることを特徴とするものである。
【０００７】
このように、動力装置を駆動許可している場合、遠隔通信手段にて駆動禁止要求を示す駆動要求信号を受信しても、駆動禁止要求を示す駆動要求信号に基づく動力装置の駆動禁止に関連する情報を出力手段にて出力することを禁止することによって、車両を運転している運転者を驚かせることを防止でき、車両の運転に悪影響を与えることを防止できる。
【０００８】
また、駆動禁止要求を示す駆動要求信号に基づく動力装置の駆動禁止に関連する情報は、請求項２に示すように、遠隔通信手段に駆動禁止要求を示す駆動要求信号が送信され、動力装置を駆動禁止している場合、出力手段にて出力すると好ましい。また、駆動禁止要求を示す駆動要求信号に基づく動力装置の駆動禁止に関連する情報は、請求項３に示すように、遠隔通信手段に駆動禁止要求を示す駆動要求信号が送信され、動力装置を駆動禁止している場合、キー通信手段に識別信号が送信されると出力するようにしてもよい。
【０００９】
このようにすることによって、確実に車両が駐車している時のみ駆動禁止要求を示す駆動要求信号に基づく動力装置の駆動禁止に関連する情報を出力することができる。
【００１０】
また、駆動禁止要求を示す駆動要求信号に基づく動力装置の駆動禁止に関連する情報とは、請求項４及び請求項５に示すように、遠隔地から動力装置を駆動禁止することを示す情報、及び遠隔地からの動力装置の駆動禁止の解除に関連する情報を含むと好ましい。
【００１１】
また、請求項６に記載の車両用セキュリティー装置では、固有の識別信号を送信する電子キー、及び車両の動力装置の駆動禁止要求、駆動許可要求を示す駆動要求信号を送信する遠隔地にある通信装置と通信可能な車両用セキュリティー装置であって、搭乗者によって操作される操作手段と、電子キーとの通信を行うキー通信手段と、遠隔地にある通信装置との通信を行う遠隔通信手段と、キー通信手段に送信される識別信号及び／又は遠隔通信手段に送信される駆動要求信号に基づいて、動力装置の駆動禁止、駆動許可を制御すると共に、動力装置を駆動許可している場合、遠隔通信手段にて駆動禁止要求を示す駆動要求信号を受信しても、駆動禁止要求を示す駆動要求信号に基づく動力装置の駆動禁止に関連する操作手段による操作を禁止する制御手段を備えることを特徴とするものである。
【００１２】
このように、動力装置を駆動許可している場合、遠隔通信手段にて駆動禁止要求を示す駆動要求信号を受信しても、駆動禁止要求を示す駆動要求信号に基づく動力装置の駆動禁止に関連する操作手段による操作を禁止することによって、車両の運転に悪影響を与えることを防止できる。
【００１３】
また、操作手段による動力装置の駆動禁止に関連する操作は、請求項７に示すように、遠隔通信手段に駆動禁止要求を示す駆動要求信号が送信され、動力装置を駆動禁止している場合に許可すると好ましい。また、操作手段による動力装置の駆動禁止に関連する操作は、請求項８に示すように、遠隔通信手段に駆動禁止要求を示す駆動要求信号が送信され、動力装置を駆動禁止している場合に、キー通信手段に識別信号が送信されると許可するようにしてもよい。また、操作手段による動力装置の駆動禁止に関連する操作は、請求項９に示すように、遠隔通信手段に駆動禁止要求を示す駆動要求信号が送信され、動力装置を駆動禁止している場合に、操作手段にて所定の操作がなされると許可するようにしてもよい。
【００１４】
このようにすることによって、確実に車両が駐車している時のみ操作手段による動力装置の駆動禁止に関連する操作を行えるようにすることができる。
【００１５】
また、請求項１０に示すように、少なくとも画像を出力する出力手段を備え、操作手段は、出力手段が出力する画像に基づいて操作されるものであり、制御手段は、駆動禁止要求を示す駆動要求信号に基づく動力装置の駆動禁止に関連する画像を出力手段に出力することを禁止することによって操作を禁止するようにしてもよい。
【００１６】
また、請求項１１に示すように、駆動禁止要求を示す駆動要求信号に基づく動力装置の駆動禁止に関連する画像は、遠隔地からの動力装置の駆動禁止の解除に関連する画像を含むと好ましい。
【００１７】
また、請求項１２に記載の車両用セキュリティーシステムでの作用・効果に関しては、上述の請求項１乃至請求項１１と同様であるため説明を省略する。
【発明を実施するための最良の形態】
【００１８】
以下、本発明の実施の形態を図に基づいて説明する。なお、本発明の実施の形態は、以下の実施例に何ら限定されることはなく、本発明の技術的範囲に属する限り種々の形態を採り得ることは言うまでもない。
【００１９】
図１は、本発明の実施の形態における車両用セキュリティーシステムの概略構成を示すブロック図である。図２は、本発明の実施の形態における車両用セキュリティー装置の動作を示すタイムチャートである。
【００２０】
図１に示すように、車両用セキュリティーシステムは、車両用セキュリティー装置１０、エンジンＥＣＵ２０、エンジン３０、キー４０、基地局５０、データセンター６０、携帯電話７０、ディスプレイ８０、操作部９０などを備える。
【００２１】
車両用セキュリティー装置１０は、車両内に設けられるものであり、イモビライザーＥＣＵ１１、アンテナ１１ａ、リモートセキュリティーＥＣＵ１２、通信ＥＣＵ１３、アンテナ１３ａなどを備える。
【００２２】
イモビライザーＥＣＵ１１は、本発明の制御手段の一部に相当するものであり、マイクロコンピュータを主体として構成されるもので、ＲＯＭ、ＲＡＭ、ＥＥＰＲＯＭなどのメモリやインターフェース回路あるいはデータ転送用のバスライン、及び本発明の電子キーに相当するキー４０との通信を行うアンテナ１１ａなどを備える。なお、イモビライザーＥＣＵ１１は、図示はしないが電源状態（ＩＧ、ＡＣＣ、ＯＦＦ）が検出可能となっている。
【００２３】
このイモビライザーＥＣＵ１１は、キー４０から送信された識別信号、及びリモートセキュリティーＥＣＵ１２から出力されるリモートセット信号・リモートアンセット信号に基づいて、エンジンＥＣＵ２０に対してエンジン３０の駆動禁止・駆動許可を示す駆動信号を出力する。なお、エンジンＥＣＵ２０に対してエンジン３０の駆動禁止・駆動許可を示す駆動信号を出力することを、イモビライザー機能のセット・アンセット、もしくは、イモビのセット、アンセットと称する。また、リモートセキュリティーＥＣＵ１２から出力されるリモートセット信号・リモートアンセット信号に基づいて、エンジンＥＣＵ２０に対してエンジン３０の駆動禁止・駆動許可を示す駆動信号を出力することを、リモートイモビライザー機能のセット・アンセット、もしくは、リモートイモビのセット、アンセットと称する。
【００２４】
すなわち、イモビライザーＥＣＵ１１は、イモビをセットする場合、エンジンＥＣＵ２０に対してエンジン３０の駆動禁止を示す駆動信号を出力することによってエンジン３０を駆動禁止とする。そして、イモビライザーＥＣＵ１１は、イモビをアンセットする場合、エンジンＥＣＵ２０に対してエンジン３０の駆動許可を示す駆動信号を出力することによってエンジン３０を駆動許可とする。
【００２５】
また、イモビライザーＥＣＵ１１は、リモートイモビをセットする場合、正規のキー４０から識別信号が送信されても、エンジンＥＣＵ２０に対してエンジン３０の駆動禁止を示す駆動信号を出力することによってエンジン３０の駆動禁止を維持する。そして、イモビライザーＥＣＵ１１は、リモートイモビをアンセットする場合、正規のキー４０から識別信号が送信されると、エンジンＥＣＵ２０に対してエンジン３０の駆動許可を示す駆動信号を出力することによってエンジン３０を駆動許可とする。
【００２６】
さらに、イモビライザーＥＣＵ１１は、リモートセキュリティーＥＣＵ１２から出力されるリモートセット信号を受信したのみの状態である、リモートイモビライザー機能のセット待ち状態（待機状態）を有する。なお、このリモートイモビライザー機能の待機状態をリモートイモビの待機状態と称する。
【００２７】
また、イモビライザーＥＣＵ１１は、キー４０から送信された識別信号、及びリモートセキュリティーＥＣＵ１２から出力されるリモートセット信号・リモートアンセット信号に基づいて、ディプレイ８０の表示制御、及び操作部９０の操作制御を行う。
【００２８】
車両のキー４０は、固有の識別信号（ＩＤコード）を有する通信装置部（図示省略）をキーヘッド内に備えており、この通信装置部はアンテナ１１ａからの呼掛け信号に応答して、識別信号を含む応答信号を発信する。また、アンテナ１１ａは、エンジン３０を始動するためのキースロットル（図示省略）付近に備えられており、キースロットル内部にはスイッチ（図示省略）が設けられている。キー４０がキースロットルに差し込まれることによってスイッチがオンとなり、キー４０の通信装置部とアンテナ１１ａとの間で通信が行われる。
【００２９】
リモートセキュリティーＥＣＵ１２は、本発明の制御手段の一部に相当するものであり、マイクロコンピュータを主体として構成されるもので、ＲＯＭ、ＲＡＭ、ＥＥＰＲＯＭなどのメモリやインターフェース回路あるいはデータ転送用のバスラインなどを備える。リモートセキュリティーＥＣＵ１２は、後ほど説明する通信ＥＣＵ１３から出力されるリモートセット信号・リモートアンセット信号をイモビライザーＥＣＵ１１へ出力する。なお、リモートセット信号は、本発明における車両の動力装置の駆動禁止要求を示す駆動要求信号に相当するものであり、リモートアンセット信号は、本発明における車両の動力装置の駆動許可要求を示す駆動要求信号に相当するものである。
【００３０】
通信ＥＣＵ１３は、本発明の遠隔通信手段に相当するものであり、マイクロコンピュータを主体として構成されるもので、ＲＯＭ、ＲＡＭ、ＥＥＰＲＯＭなどのメモリやインターフェース回路あるいはデータ転送用のバスライン、及び本発明の遠隔地にある通信装置に相当する基地局５０との通信を行うアンテナ１３ａなどを備える。そして、通信ＥＣＵ１３は、基地局５０から送信されるリモートセット信号・リモートアンセット信号をリモートセキュリティーＥＣＵ１２へ出力する。なお、この通信ＥＣＵ１３としては、無線電話回線、インターネット回線などに接続可能なものであればよく、車載電話などを用いるようにしてもよい。
【００３１】
エンジンＥＣＵ２０は、マイクロコンピュータを主体として構成されるもので、ＲＯＭ、ＲＡＭ、ＥＥＰＲＯＭなどのメモリやインターフェース回路あるいはデータ転送用のバスラインなどを備える。エンジンＥＣＵ２０は、イモビライザーＥＣＵ１１がイモビをアンセットしている場合（エンジン３０の駆動許可を示す駆動信号が出力された場合）のみ、図示しないイグニッションスイッチからの始動信号に基づいて、スターターモータ、燃料噴射装置、点火装置の動作を開始させる。これにより、スターターモータが回転しつつエンジン３０に燃料が噴射され点火プラグが点火することによってエンジン３０を始動する（駆動許可とする）。
【００３２】
また、エンジンＥＣＵ２０は、イモビライザーＥＣＵ１１がイモビをセットしている場合（エンジン３０の駆動禁止を示す駆動信号が出力された場合）は、スターターモータ、燃料噴射装置、点火装置の動作を開始させない。つまり、エンジンＥＣＵ２０は、エンジン３０を始動させない（駆動禁止とする）。
【００３３】
ディスプレイ８０は、本発明の出力手段に相当するものであり、液晶表示パネルとバックライトとにより構成される表示画面を備える。このディスプレイ８０はイモビライザーＥＣＵ１１から出力される画像信号に基づいてリモートイモビのセット（エンジン３０の駆動禁止）に関連する情報（画像）などを表示する。なお、ディスプレイ８０は、ナビゲーション装置で用いるディプレイを用いるようにしてもよい。また、オーディオ装置やナビゲーション装置などで用いるスピーカー（出力手段）からリモートイモビのセット（エンジン３０の駆動禁止）に関連する情報を出力するようにしてもよい。
【００３４】
リモートイモビのセットに関連する情報（画像）とは、例えば、「今、リモートイモビがセットされました」などのコーション情報（画像）、リモートイモビをアンセット（リモートイモビのセットを解除）するための要求の入力画面、リモートイモビをアンセット（リモートイモビのセットを解除）するための暗証番号の入力画面などを含むものである。なお、これらの情報（画像）は、本発明における、遠隔地から動力装置を駆動禁止することを示す情報、遠隔地からの動力装置の駆動禁止の解除に関する情報、駆動禁止要求を示す駆動要求信号に基づく動力装置の駆動禁止に関連する画像に相当するものである。
【００３５】
操作部９０は、本発明における操作手段に相当するものであり、ディスプレイ８０の周囲に設けられたメカニカルなキースイッチやセンターコンソールなどに設けられるジョイスティック等である。また、操作部９０は、ディスプレイ８０の表示画面の表示面側に設けられる透過式のタッチパネルであってもよい。
【００３６】
また、基地局５０は、本発明の遠隔地にある通信装置に相当するものであり、通信ＥＣＵ１３や携帯電話７０等と無線通信を行うことができ、さらに多数の車両情報を管理しているデータセンター６０と接続されている。本実施の形態における車両用セキュリティーシステムにおいては、車両が盗まれてしまった場合、車両のユーザーは、携帯電話７０を使用して基地局５０と通信を行い、これによりデータセンター６０に対して盗難を届け出る。この盗難の届けを受領したデータセンター６０は、リモートセット信号を基地局５０に対して出力する。このリモートセット信号を受信した基地局５０は、リモートセット信号を車両（通信ＥＣＵ１３）に対して送信する。また、盗まれた車両などが発見された場合、車両のユーザーは、携帯電話７０を使用して基地局５０と通信を行い、これによってデータセンター６０に対して盗難車の発見を届け出る。この盗難車の発見の届けを受領したデータセンター６０は、リモートアンセット信号を基地局５０に対して出力する。このリモートアンセット信号を受信した基地局５０は、リモートアンセット信号を車両（通信ＥＣＵ１３）に対して送信する。
【００３７】
ここで、図２のタイムチャートに基づいて、本実施の形態における車両用セキュリティーシ装置の動作を説明する。
【００３８】
例えば、悪意のある第三者によってキー４０ごと車両を盗まれ、キー４０がキースロットルに差し込まれると、イモビライザーＥＣＵ１１は、キー４０から送信された識別信号に基づいて、正規のキー４０であるか否かを判定し、正規のキー４０であると判定した場合は、図２（ｃ）のスタート（左端）からＡ点までの間のようにイモビをアンセットとする。したがって、車両は、悪意のある第三者がキー４０を用いてイグニッションスイッチをオンするなどによって、図２（ａ）、（ｂ）のスタート（左端）からＡ点までの間に示すように、電源状態がイグニッション（図中ではＩＧと記載）、車両は走行中となり、悪意のある第三者によって自由に不正使用されることとなる。
【００３９】
そこで、車両が盗まれてしまった場合、車両の正規のユーザーは、携帯電話７０を使用して基地局５０と通信を行い、これによりデータセンター６０に対して盗難を届け出る。この盗難の届けを受領したデータセンター６０は、リモートセット信号を基地局５０に対して出力する。このリモートセット信号を受信した基地局５０は、図２（ｄ）のＡ点に示すようにリモートセット信号を車両（通信ＥＣＵ１３）に対して送信することによってリモートイモビセット要求を行う。
【００４０】
通信ＥＣＵ１３は、アンテナ１３ａを介してリモートセット信号を受信する。そして、通信ＥＣＵ１３は、受信したリモートセット信号をリモートセキュリティーＥＣＵ１２に出力する。リモートセキュリティーＥＣＵ１２は、受信したリモートセット信号をイモビライザーＥＣＵ１１に出力する。
【００４１】
イモビライザーＥＣＵ１１は、リモートセキュリティーＥＣＵ１２からリモートセット信号が出力された場合、キー４０の識別信号に基づいてイモビをアンセットしている間は、イモビのアンセットを維持する。つまり、イモビライザーＥＣＵ１１は、図２（ｃ）（ｄ）のＡ点からＢ点に示すように、イモビのアンセットを維持し、リモートイモビを待機状態とすることによって、エンジンＥＣＵ２０に対してエンジン３０の駆動禁止を示す駆動信号の出力を禁止する。
【００４２】
したがって、図２（ａ）（ｂ）のＡ点からＢ点までの間に示すように、車両が停止したり、電源状態がＡＣＣ、ＯＦＦとなったりした場合であっても、イモビライザーＥＣＵ１１がイモビのアンセットを維持して、エンジンＥＣＵ２０に対してエンジン３０の駆動許可を示す駆動信号を出力するので、車両は、走行可能な状態となる。
【００４３】
キー４０の識別信号に基づいてエンジンＥＣＵ２０に対してエンジン３０の駆動許可を示す駆動信号を出力している時、車両は、走行中であったり、車両が走行車線上にあったりする場合が多い。したがって、イモビライザーＥＣＵ１１は、キー４０の識別信号に基づいてイモビをアンセットしている間にリモートセット信号が出力された場合、イモビのアンセットを維持してエンジンＥＣＵ２０に対してエンジン３０の駆動許可を示す駆動信号を出力することによって、車両が走行車線上にある場合などには、エンジン３０を駆動禁止にすることを防止できるので、交通の流れを妨げることを防止することができる。つまり、盗難された車両がエンストしたり、信号待ちの時にエンジン３０を停止したりした場合には、エンジン３０を駆動禁止にすることを防止できるので、交通の流れを妨げることを防止することができる。
【００４４】
また、このように、イモビライザーＥＣＵ１１は、キー４０の識別信号に基づいてイモビをアンセットしている間にリモートセット信号が出力された場合、イモビのアンセットを維持してエンジンＥＣＵ２０に対してエンジン３０の駆動許可を示す駆動信号を出力することによって、リモートアンセット信号の誤送信など、リモートイモビの誤動作が生じた場合であってもエンジン３０を駆動禁止にすることを防止できる。
【００４５】
なお、イモビライザーＥＣＵ１１は、図２（ｃ）（ｄ）のＡ点からＢ点に示すように、イモビのアンセットを維持し、リモートイモビを待機状態としている場合、リモートセキュリティーＥＣＵ１２からリモートアンセット信号が出力されると、この待機状態を解除するようにすると好ましい。
【００４６】
さらに、イモビライザーＥＣＵ１１は、リモートセキュリティーＥＣＵ１２からリモートセット信号が出力された場合、イモビをアンセットしている間は、リモートイモビのセットに関連するディプレイ８０での表示、操作部９０での操作を禁止する。つまり、イモビライザーＥＣＵ１１は、図２（ｃ）（ｄ）のＡ点からＢ点に示すように、リモートセキュリティーＥＣＵ１２からリモートセット信号が出力されているのも係わらず、リモートイモビのセットに関連する情報（画像）をディプレイ８０に表示しない。そして、イモビライザーＥＣＵ１１は、図２（ｃ）（ｄ）のＡ点からＢ点に示すように、リモートセキュリティーＥＣＵ１２からリモートセット信号が出力されているのも係わらず、リモートイモビのセットに関連する操作部９０による操作を禁止する。
【００４７】
なお、リモートイモビのセットに関連する操作部９０による操作とは、本発明における駆動禁止要求を示す駆動要求信号に基づく動力装置の駆動禁止に関連する操作に相当するものである。したがって、リモートイモビのセットに関連する操作部９０による操作とは、例えば、リモートイモビをアンセット（リモートイモビのセットを解除）するための要求の入力、リモートイモビをアンセット（リモートイモビのセットを解除）するための暗証番号の入力などである。
【００４８】
また、リモートイモビのセットに関連する操作部９０での操作がディスプレイ８０に表示される画像に基づいて行われるような場合、イモビライザーＥＣＵ１１は、リモートイモビのセットに関連する画像（リモートイモビをアンセットするための要求の入力画面、リモートイモビをアンセットするための暗証番号の入力画面など）をディスプレイ８０に表示しないようにすることによって、リモートイモビのセットに関連する操作部９０による操作を禁止することもできる。
【００４９】
このように、イモビライザーＥＣＵ１１は、リモートセキュリティーＥＣＵ１２からリモートセット信号が出力された場合、キー４０の識別信号に基づいてイモビをアンセットしている間は、ディプレイ８０での表示、操作部９０での操作を禁止することによって、車両の運転に悪影響を与えることを防止できる。つまり、車両が走行している場合、及び車両が走行している可能性がある場合は、リモートイモビのセットに関連するディプレイ８０での表示、操作部９０での操作を禁止することによって、車両を運転している運転者を驚かせることを防止できると共に、運転者に走行以外の操作（リモートイモビのセットに関連する操作）を行うことを低減させることができるので、車両の運転に悪影響を与えることを防止できる。
【００５０】
次に、イモビライザーＥＣＵ１１がエンジン３０を駆動禁止とする場合に関して説明する。すなわち、イモビライザーＥＣＵ１１がイモビライザー機能及びリモートイモビライザー機能をセットする場合に関して説明する。
【００５１】
イモビライザーＥＣＵ１１は、図２（ｄ）のＡ点からＢ点に示すように、基地局５０からリモートセキュリティーＥＣＵ１２を介してリモートセット信号を受信して、リモートイモビを待機状態としている場合、キー４０がキースロットルから抜かれ、図２（ａ）（ｂ）に示すように電源状態がＯＦＦとなり、車両状態が駐車になるとイモビ及びリモートイモビをセットする。すなわち、イモビライザーＥＣＵ１１は、キースロットルからキー４０が抜かれ、キー４０からの識別信号がなく正規のキー４０がキースロットルに差し込まれていないと判定するとイモビ及びリモートイモビをセットする。イモビをセットする場合、イモビライザーＥＣＵ１１は、エンジンＥＣＵ２０に対してエンジン３０の駆動禁止を示す駆動信号を出力することによってエンジン３０を駆動禁止とする。
【００５２】
そして、イモビライザーＥＣＵ１１は、イモビ及びリモートイモビをセットしている間（例えば、図２（ｄ）のＢ点からＣ点の間、Ｇ点からＧ’の間）は、正規のキー４０がキースロットルに差し込まれたとしても、イモビをアンセットにはせず、イモビのセットを維持する。これは、悪意のある第三者による車両の継続的な不正使用を防止するためである。
【００５３】
さらに、図２（ｄ）のＢ点からＣ点の間、Ｇ点からＧ’の間に示すように、イモビライザーＥＣＵ１１は、リモートセット信号が送信され、イモビをセットしている場合、例えば、キー４０からの識別信号及びリモートセット信号に基づいて、イモビ及びリモートイモビをセットしている場合は、リモートイモビのセットに関連するディスプレイ８０での表示、操作部９０での操作を許可する。キー４０からの識別信号及びリモートセット信号に基づいて、イモビ及びリモートイモビをセットしている場合は、車両は完全に駐車しているとみなすことができる。したがって、キー４０からの識別信号及びリモートセット信号に基づいて、イモビ及びリモートイモビをセットしている場合は、リモートイモビのセットに関連するディプレイ８０での表示、操作部９０での操作を許可することによって、確実に車両が駐車している時のみリモートイモビのセットに関連するディプレイ８０での表示、操作部９０での操作を許可することができる。
【００５４】
また、リモートイモビのセットに関連するディプレイ８０での表示、操作部９０での操作を許可するのは、リモートセット信号が送信され、イモビをセットしている場合であり、かつ、正規のキー４０から識別信号が送信された場合（正規のキー４０がキースロットルに差し込まれた場合）であってもよい。つまり、図２（ｅ）のＪ点に示すように、リモートセット信号が送信され、イモビをセットしている場合のみでは、まだ、リモートイモビのセットに関連するディプレイ８０での表示、操作部９０での操作を許可しない。そして、図２（ｅ）のＫ点に示すように、電源状態（ｂ）がＡＣＣとなった場合などキー４０から識別信号が送信された場合に、リモートイモビのセットに関連するディプレイ８０での表示、操作部９０での操作を許可する。
【００５５】
また、リモートイモビのセットに関連するディプレイ８０での表示、操作部９０での操作を許可するのは、リモートセット信号が送信され、イモビをセットしている場合であり、かつ、操作部９０によって所定の操作がなされた場合であってもよい。この操作部９０による所定の操作とは、例えば、ディスプレイ８０に表示されているアイコンをクリックする操作、操作部９０を所定時間継続して操作すること、操作部９０を所定時間内に諸回数操作することなどを含むものである。
【００５６】
次に、イモビライザーＥＣＵ１１がエンジン３０を駆動許可とする場合に関して説明する。すなわち、イモビライザーＥＣＵ１１がイモビライザー機能及びリモートイモビライザー機能をアンセットする場合に関して説明する。
【００５７】
例えば、盗難された車両が発見され、車両の正規のユーザーが車両に乗車できる状態である場合、車両の正規のユーザーは、携帯電話７０を使用して基地局５０と通信を行い、これによりデータセンター６０に対して車両の発見を届け出る。この車両の発見の届けを受領したデータセンター６０は、リモートアンセット信号を基地局５０に対して出力する。このリモートアンセット信号を受信した基地局５０は、リモートアンセット信号を車両（通信ＥＣＵ１３）に対して送信することによってリモートイモビアンセット要求を行う。
【００５８】
通信ＥＣＵ１３は、アンテナ１３ａを介してリモートアンセット信号を受信する。そして、通信ＥＣＵ１３は、受信したリモートアンセット信号をリモートセキュリティーＥＣＵ１２に出力する。リモートセキュリティーＥＣＵ１２は、受信したリモートアンセット信号をイモビライザーＥＣＵ１１に出力する。
【００５９】
イモビライザーＥＣＵ１１は、リモートセキュリティーＥＣＵ１２からリモートアンセット信号が出力された場合、図２（ｄ）のＣ点に示すように、リモートイモビをアンセットとする。ただし、イモビライザーＥＣＵ１１は、キー４０の識別信号に基づいてイモビをセットしている間は、リモートセキュリティーＥＣＵ１２からリモートアンセット信号が出力されリモートイモビをアンセットとした場合であっても、イモビのセットを維持する。つまり、イモビライザーＥＣＵ１１は、図２（ｃ）（ｄ）のＣ点からＤ点に示すように、リモートイモビをアンセットとしても、イモビのセットは維持することによって、エンジンＥＣＵ２０に対してエンジン３０の駆動禁止を示す駆動信号の出力を維持するので、車両は、正規のキー４０がない場合は走行不可の状態となる。
【００６０】
ここで、例えば、リモートイモビのアンセットに伴ってイモビをアンセットした場合を考える。イモビライザーＥＣＵ１１は、リモートイモビのアンセットに伴ってイモビをアンセットすると、エンジンＥＣＵ２０に対してエンジン３０の駆動許可を示す駆動信号を出力してしまう。したがって、リモートイモビのアンセットに伴ってイモビをアンセットすると、車両は、正規のキー４０をもっていなくても走行させることが可能となってしまう。そこで、本実施の形態に示すように、イモビライザーＥＣＵ１１は、キー４０の識別信号に基づいてイモビをセットしている間は、リモートセキュリティーＥＣＵ１２からリモートアンセット信号が出力されリモートイモビをアンセットとした場合であっても、エンジンＥＣＵ２０に対してエンジン３０の駆動禁止を示す駆動信号の出力を維持することによって、悪意のある第三者による車両の継続的な不正使用を抑制することができる。
【００６１】
そして、イモビライザーＥＣＵ１１は、リモートイモビをアンセットとしている時（例えば、図２（ｄ）のＣ点からＤ点の間）に、キー４０がキースロットルに差し込まれると、キー４０から送信された識別信号に基づいて正規のキー４０であるか否かを判定し、正規のキー４０であると判定した場合は、図２（ｃ）のＤ点に示すようにイモビをアンセットとする。
【００６２】
次に、イモビライザーＥＣＵ１１がリモートイモビライザー機能をセットする条件に関して説明する。リモートイモビライザー機能をセットする場合、交通の流れを妨げることを防止するために、一時停止時のエンジンオフや、エンストなどでの停止などではなく、確実に車両の運行が終了した場合である必要がある。
【００６３】
そこで、ＡＣＣの状態が一定時間経過したことをリモートイモビライザー機能のセット条件として、イモビライザーＥＣＵ１１がリモートイモビライザー機能をセットする場合の例を説明する。
【００６４】
まず、イモビライザーＥＣＵ１１は、エンジン３０を駆動許可としている場合（イモビをアンセットしている場合）、図２（ｄ）のＥ点に示すように、リモートイモビセット要求を受けるとイモビのアンセットを維持し、リモートイモビを待機状態とすることによって、エンジンＥＣＵ２０に対してエンジン３０の駆動禁止を示す駆動信号の出力を禁止する。すなわち、イモビライザーＥＣＵ１１は、車両の正規のユーザーからの盗難の届けに基づいて基地局５０から、通信ＥＣＵ１３及びリモートセキュリティーＥＣＵ１２を介してリモートセット信号が出力された場合、リモートイモビを待機状態とする。
【００６５】
そして、イモビライザーＥＣＵ１１は、電源状態を検出し、電源状態がＡＣＣとなってから所定時間が経過したか否かによって車両の運行状態を検出する（運行状態検出手段）。また、イモビライザーＥＣＵ１１は、リモートイモビの待機状態において、図２（ａ）（ｂ）のＥ点からＦ点に示すように、車両状態が走行から停止にかわり、電源状態がＩＧからＡＣＣにかわり、さらに、図２（ａ）（ｂ）のＦ点からＧ点に示すように、電源状態のＡＣＣが一定時間経過するとリモートイモビをセットする。つまり、イモビライザーＥＣＵ１１は、ＡＣＣの状態が一定時間経過したことによって車両の運行が確実に終了しているとみなして、リモートイモビをセットし、イモビをセットすることによって、エンジンＥＣＵ２０に対してエンジン３０の駆動禁止を示す駆動信号を出力する。
【００６６】
このように、リモートイモビの待機状態において、ＡＣＣの状態が一定時間経過した時点で、リモートイモビ及びイモビをセットして、エンジンＥＣＵ２０に対してエンジン３０の駆動禁止を示す駆動信号を出力することによって、交通の流れを妨げることを防止することができる。
【００６７】
この他にも、リモートイモビライザー機能をセットする条件としては、キー４０の識別信号に基づいてイモビをセットしていること、キー４０の識別信号に基づいてイモビをセットしてから所定時間内であること、エンジンオフによる盗難警報セット、盗難警報発生、ステアリングロック、バッテリーの脱着などであってもよい。
【００６８】
まず、キー４０の識別信号に基づいてイモビをセットしていることをリモートイモビライザー機能のセット条件とする場合について説明する。キー４０の識別信号に基づいてイモビをセット、すなわち正規のキー４０がキースロットルから抜かれたことをリモートイモビライザー機能のセット条件とする場合、イモビライザーＥＣＵ１１は、キー４０の識別信号に基づいてイモビをセットしているか否かを検出することによって車両の運行状態を検出する（運行状態検出手段）。
【００６９】
イモビライザーＥＣＵ１１は、リモートセキュリティーＥＣＵ１２からリモートセット信号が出力された場合、キー４０の識別信号に基づいてイモビをセットしているか否かを判定する。そして、イモビライザーＥＣＵ１１は、イモビをセットしていないと判定した場合は、リモートイモビを待機状態とし、イモビをセットしていると判定した場合は、リモートイモビをセットする。
【００７０】
キー４０の識別信号に基づいてイモビがセットされている場合とは、すなわち正規のキー４０がキースロットルから抜かれた場合であり、車両の運行は終了して、車両は走行車線上にはない可能性が高い。したがって、リモートイモビライザー機能をセットする条件として、キー４０の識別信号に基づいてイモビをセットしていることを適用することによって、交通の流れを妨げることを防止することができる。
【００７１】
次に、キー４０の識別信号に基づいてイモビをセットしてから所定時間経過したことをリモートイモビライザー機能のセット条件とする場合について説明する。キー４０の識別信号に基づいてイモビをセットしてから所定時間経過したことをリモートイモビライザー機能のセット条件とする場合、イモビライザーＥＣＵ１１は、キー４０の識別信号に基づいてイモビをセットしてから所定時間経過したか否かを検出することによって車両の運行状態を検出する（運行状態検出手段）。
【００７２】
イモビライザーＥＣＵ１１は、リモートセキュリティーＥＣＵ１２からリモートセット信号が出力された場合、キー４０の識別信号に基づいてイモビをセットしてから所定時間経過したか否かを判定する。そして、イモビライザーＥＣＵ１１は、イモビをセットしてから所定時間経過してないと判定した場合は、リモートイモビを待機状態とし、イモビをセットしてから所定時間経過したと判定した場合は、リモートイモビをセットする。
【００７３】
リモートイモビライザー機能をセットする条件としてキー４０の識別信号に基づいてイモビがセットされてから所定時間経過という条件を適用することによって、より一層確実に車両の運行が終了した場合にリモートイモビライザー機能をセットすることができ、交通の流れを妨げることを防止することができる。
【００７４】
また、近年、車両の盗難防止装置（図示せず）として、盗難を検出すると盗難警報を鳴らす（発生する）ものがある。この盗難防止装置は、エンジンオフから所定時間（ドアを開けて、降車して、ドアを閉めるのに要する程度の時間）が経過した後に盗難警報をセットするものである。したがって、盗難防止装置における盗難警報がセットされた場合、車両の運行が終了したとみなすことができる。そこで、この盗難防止装置を本実施の形態に適用し、このエンジンオフによる盗難警報のセットをリモートイモビライザー機能のセット条件とすることもできる。イモビライザーＥＣＵ１１は、盗難警報がセットされたか否かを検出することによって車両の運行状態を検出する（運行状態検出手段）。
【００７５】
エンジンオフによる盗難警報セットをリモートイモビライザー機能のセット条件とする場合、イモビライザーＥＣＵ１１は、リモートセキュリティーＥＣＵ１２からリモートセット信号が出力された場合、盗難防止装置の盗難警報がセットされているか否かを判定する。そして、イモビライザーＥＣＵ１１は、盗難警報がセットされていないと判定した場合は、リモートイモビを待機状態とし、盗難警報がセットされていると判定した場合は、リモートイモビをセットする。このように、リモートイモビライザー機能をセットする条件を、エンジンオフによる盗難警報セットとすることによっても確実に車両の運行が終了した場合にリモートイモビライザー機能をセットすることができ、交通の流れを妨げることを防止することができる。
【００７６】
また、上述の盗難防止装置を本実施の形態に適用すると、この盗難防止装置が盗難警報を発生した場合も車両の運行は終了しているとみなすことができる。そこで、この盗難防止装置を本実施の形態に適用し、盗難警報の発生をリモートイモビライザー機能のセット条件とすることもできる。イモビライザーＥＣＵ１１は、盗難警報が発生したか否かを検出することによって車両の運行状態を検出する（運行状態検出手段）。
【００７７】
盗難警報の発生をリモートイモビライザー機能のセット条件とする場合、イモビライザーＥＣＵ１１は、リモートセキュリティーＥＣＵ１２からリモートセット信号が出力された場合、盗難防止装置の盗難警報が発生しているか否かを判定する。そして、イモビライザーＥＣＵ１１は、盗難警報が発生していないと判定した場合は、リモートイモビを待機状態とし、盗難警報が発生していると判定した場合は、リモートイモビをセットする。このように、リモートイモビライザー機能をセットする条件を、盗難警報の発生とすることによっても確実に車両の運行が終了した場合にリモートイモビライザー機能をセットすることができ、交通の流れを妨げることを防止することができる。
【００７８】
また、近年、車両の盗難防止装置（図示せず）として、キーをキースロットルから抜くとステアリングをロックするものがある。したがって、盗難防止装置におけるステアリングロックがセットされた場合、キーはキースロットルから抜かれているので、車両の運行が終了したとみなすことができる。そこで、この盗難防止装置を本実施の形態に適用し、このステアリングロックのセットをリモートイモビライザー機能のセット条件とすることもできる。イモビライザーＥＣＵ１１は、ステアリングロックの状態がセットとなったか否かによって車両の運行状態を検出する（運行状態検出手段）。
【００７９】
ステアリングロックのセットをリモートイモビライザー機能のセット条件とする場合、イモビライザーＥＣＵ１１は、リモートセキュリティーＥＣＵ１２からリモートセット信号が出力された場合、ステアリングロックがセットされているか否かを判定する。そして、イモビライザーＥＣＵ１１は、ステアリングロックがセットされていないと判定した場合は、リモートイモビを待機状態とし、ステアリングロックがセットされていると判定した場合は、リモートイモビをセットする。このように、リモートイモビライザー機能をセットする条件を、ステアリングロックがセットとすることによっても確実に車両の運行が終了した場合にリモートイモビライザー機能をセットすることができ、交通の流れを妨げることを防止することができる。
【００８０】
また、バッテリーの脱着（バッテリーの状態）をリモートイモビライザー機能のセット条件として、イモビライザーＥＣＵ１１がリモートイモビライザー機能をセットする場合の例を説明する。まず、イモビライザーＥＣＵ１１は、エンジン３０を駆動許可としている場合（イモビをアンセットしている場合）、図２（ｄ）のＨ点に示すように、リモートイモビセット要求を受けるとイモビのアンセットを維持し、リモートイモビを待機状態とすることによって、エンジンＥＣＵ２０に対してエンジン３０の駆動禁止を示す駆動信号の出力を禁止する。すなわち、イモビライザーＥＣＵ１１は、車両の正規のユーザーからの盗難の届けに基づいて基地局５０から、通信ＥＣＵ１３及びリモートセキュリティーＥＣＵ１２を介してリモートセット信号が出力された場合、リモートイモビを待機状態とする（図２（ｄ）のＨ点からＩ点の間）。なお、イモビライザーＥＣＵ１１は、バッテリーの状態を検出し、バッテリーが車両から取り外されて、再度車両に取付けられたか否かによって車両の運行状態を検出する（運行状態検出手段）。
【００８１】
そして、イモビライザーＥＣＵ１１は、リモートイモビの待機状態において、図２のＩ点に示すように車両からバッテリーが取り外され、さらに図２のＪ点に示すように車両にバッテリーが取り付けられると、図２（ｃ）（ｄ）のＪ点に示すようにイモビ及びリモートイモビをセットする。つまり、イモビライザーＥＣＵ１１は、バッテリーが脱着されたことによって車両の運行が確実に終了しているとみなして、リモートイモビをセットし、イモビをセットすることによって、エンジンＥＣＵ２０に対してエンジン３０の駆動禁止を示す駆動信号を出力する。
【００８２】
このように、リモートイモビの待機状態において、バッテリーが脱着された時点で、リモートイモビ及びイモビをセットして、エンジンＥＣＵ２０に対してエンジン３０の駆動禁止を示す駆動信号を出力することによっても、確実に車両の運行が終了した場合にリモートイモビライザー機能をセットすることができ、交通の流れを妨げることを防止することができる。
【００８３】
なお、本実施の形態においては、リモートセット信号・リモートアンセット信号は、基地局５０から送信される例を用いて説明したが本発明はこれに限定されるものではない。リモートセット信号・リモートアンセット信号は、車両のエンジン３０の駆動禁止要求と駆動許可要求を示す駆動要求信号を送信する遠隔地にある通信装置であれば本発明の目的は達成できるものである。
【００８４】
また、本実施の形態においては、電子キーとして、メカキーを備え識別信号を送信するキー４０を例として用いて説明したが本発明はこれに限定されるものではない。例えば、車両用セキュリティー装置から送信されるリクエスト信号に応答して、識別信号（ＩＤコード）を含むレスポンス信号を返送するスマートキーなどの携帯機であってもよい。このような携帯機においては、例えば、車両用セキュリティー装置は、携帯機（キー）から送信された識別信号によって正規の携帯機であると判断し、シフトがパーキングレンジにあり、エンジンスイッチ（プッシュボタン）が操作されるとイモビをセットする。また、車両用セキュリティー装置は、携帯機を持ったユーザーが車両に乗り込むと、リクエスト信号を送信し、携帯機からの返信されたレスポンス信号に含まれる識別信号を照合し、正規の携帯機であると判断するとイモビをアンセットする。なお、電子キーとして携帯機を用いた場合のイモビのセット、アンセットに関してもこの構成に限定されるものではない。
【００８５】
また、本実施の形態においては、基地局５０との通信に携帯電話７０を用いる場合を例として説明したが、本発明はこれに限定されるものではなく、家などに据付の電話機などであってもよい。
【００８６】
また、本発明の実施の形態においては、車両用セキュリティー装置１０は、イモビライザーＥＣＵ１１、アンテナ１１ａ、リモートセキュリティーＥＣＵ１２、通信ＥＣＵ１３、アンテナ１３ａを備える例を用いて説明したが本発明はこれに限定されるものではない。キー４０との通信を行うキー通信部と、基地局５０との通信を行う遠隔通信部と、キー通信部に送信される識別信号、及び遠隔通信部に送信されるリモートセット信号・リモートアンセット信号に基づいてエンジンの駆動禁止、駆動許可を制御する制御部を備えるものであれば本発明の目的を達成できるものである。例えば、車両用セキュリティー装置１０は、キー通信部、遠隔通信部、制御部を備える制御装置などであってもよい。
【図面の簡単な説明】
【００８７】
【図１】本発明の実施の形態における車両用セキュリティーシステムの概略構成を示すブロック図である。
【図２】本発明の実施の形態における車両用セキュリティー装置の動作を示すタイムチャートである。
【符号の説明】
【００８８】
１０  車両用セキュリティー装置、１１  イモビライザーＥＣＵ、１１ａ  アンテナ、１２  リモートセキュリティーＥＣＵ、１３  通信ＥＣＵ、１３ａ  アンテナ、２０  エンジンＥＣＵ、３０  エンジン、４０  キー、５０  基地局、６０  データセンター、７０  携帯電話
【図１】
0004492571.tif 000002
【図２】
0004492571.tif 000003